(57)【要約】      （修正有）【課題】繰り返し使用しても先端の機能部にずれを生じ難い食事用補助具を提供する。【解決手段】左右一対の柄部１３の長さ方向の基端を、先端１１を開いた状態で連結し、柄部の間隔を狭めることにより先端を重ね合わせる食事用補助具１において、柄部はバネ性を有する板材２を備え、この板材の基端側に、山部と谷部が複数長さ方向に並んだ凹凸部を設ける。また左右一対の板材の基端を溶接部により連結し、この溶接部を湾曲外面を有する硬質樹脂１７で覆う。柄部を持って間隔を狭めることにより、先端の機能部が重ね合わさり、食事を取ることができる。そして、繰り返し使用しても、板材の基端側に、凹凸部があるため、先端が交差する方向にずれることを防止できる。【選択図】図１
0003189439.tif 000002
【実用新案登録請求の範囲】
【請求項１】
左右一対の柄部の長さ方向の基端を、該柄部の先端に設けた機能部を開いた状態で連結し、左右一対の柄部の間隔を狭めることにより前記左右の機能部を重ね合わせる食事用補助具において、前記左右一対の柄部はバネ性を有する板材を備え、この板材の基端側に、山部と谷部が複数長さ方向に並んだ凹凸部を設けたことを特徴とする食事用補助具。
【請求項２】
前記柄部に樹脂コーティングを施したことを特徴とする請求項１記載の食事用補助具。
【請求項３】
前記板材がバネ性を有するステンレス製であり、前記樹脂コーティングがシリコーンゴムコーティングであり、前記柄部の前記板材にシリコーンゴムコーティングを施したことを特徴とする請求項２記載の食事用補助具。
【請求項４】
前記左右一対の柄部の長さ方向の中央側には、先端及び基端より幅広な幅広部を設け、これら幅広部に前記長さ方向に長い長孔を穿設し、前記長孔の内縁に前記シリコーンゴムコーティングを施したことを特徴とする請求項３記載の食事用補助具。
【請求項５】
前記左右一対の板材は別体であり、これら左右一対の板材の基端を溶接部により連結し、この溶接部を湾曲外面を有する硬質樹脂で覆ったことを特徴とする請求項４記載の食事用補助具。
【請求項６】
前記機能部は、前記板材の先端を先鋭に形成すると共に、その板材の先端に、前記柄部に連続して前記シリコーンゴムコーティングを施してなることを特徴とする請求項４又は５記載の食事用補助具。
【考案の詳細な説明】
【技術分野】
【０００１】
本考案は、左右一対の柄部とこの柄部の先端に設けられ相互に重ね合わせる機能部を備えた食事用補助具に関する。
【背景技術】
【０００２】
従来、この種のものとして、一対の固定部を屈曲可能なバネ部により一体に連結して補助具を構成し、バネ部材をバネ性を有した金属で構成し、機能部として柄部の先端に箸の先端を備えた補助具付箸（例えば特許文献１）や、左右一対の柄部の基端を連結し、それら左右一対の柄部の先端に、機能部たるお椀状部を設けた介護用攝食器（例えば特許文献２）などが知られている。
【０００３】
上記両者従来技術では、柄部の基端にバネ部を設けることにより、使用する人は、柄部を持って広げたり閉じたりする必要がなく、単に閉じる操作をするのみで済み、使用が容易となる。
【０００４】
しかし、従来のように単にバネ部材などを折り曲げた構造では、繰り返しの使用により、先端の機能部が正しく重ならず、ずれを生じる虞がある。このため別途に先端を案内するガイドを設けることが考えられるが、構造が複雑になることが予想される。
【０００５】
また、上記前者従来技術では、柄部の先端を木材で形成しているが、単に木材で形成しただけでは、滑り止め効果に乏しく、補助具としては、柔らかく握れるものが望ましい。
【先行技術文献】
【特許文献】
【０００６】
【特許文献１】実用新案登録第３１１９９２４号公報
【特許文献２】実用新案登録第３０２４７８８号公報
【考案の開示】
【考案が解決しようとする課題】
【０００７】
そこで、本考案は、上記問題点を解決するものであり、繰り返し使用しても先端の機能部にずれを生じ難い食事用補助具を提供することを目的とし、加えて、ソフトに握ることができ、使用感に優れた食事用補助具を提供することを目的とする。
【課題を解決するための手段】
【０００８】
請求項１の考案は、左右一対の柄部の長さ方向の基端を、該柄部の先端に設けた機能部を開いた状態で連結し、左右一対の柄部の間隔を狭めることにより前記左右の機能部を重ね合わせる食事用補助具において、前記左右一対の柄部はバネ性を有する板材を備え、この板材の基端側に、山部と谷部が複数長さ方向に並んだ凹凸部を設けたことを特徴とする。
【０００９】
請求項１の考案によれば、左右一対の柄部を持って間隔を狭めることにより、先端の機能部が重ね合わさり、機能部を用いて食事を取ることができる。そして、繰り返し使用しても、板材の基端側に、山部と谷部が複数長さ方向に並んだ凹凸部があるため、先端の機能部が交差する方向にずれることを防止できる。また、別途にガイドなどを設ける必要が泣く、シンプルな仕上がりとなり、さらに、凹凸部によりデザイン性も向上する。
【００１０】
請求項２の考案は、前記柄部に樹脂コーティングを施したことを特徴とする。
【００１１】
請求項２の考案によれば、柄部をソフトに握ることができる。
【００１２】
請求項３の考案は、前記板材がバネ性を有するステンレス製であり、前記樹脂コーティングがシリコーンゴムコーティングであり、前記柄部の前記板材にシリコーンゴムコーティングを施したことを特徴とする。
【００１３】
請求項３の考案によれば、柄部の板材が露出せず、シリコーンゴムコーティングによりソフトな握り感と滑り止め効果が得られる。
【００１４】
請求項４の考案は、前記左右一対の柄部の長さ方向の中央側には、先端及び基端より幅広な幅広部を設け、これら幅広部に前記長さ方向に長い長孔を穿設し、前記長孔の内縁に前記シリコーンゴムコーティングを施したことを特徴とする。
【００１５】
請求項４の考案によれば、幅広部を有するため、握り感が向上する。一方、幅広になった幅広部に対して長孔を穿設することにより、軽量化が図られ、加えて、長孔にバンドなどを通し、そのバンドを手に巻き付けて使用することもできる。
【００１６】
請求項５の考案は、前記左右一対の板材は別体であり、これら左右一対の板材の基端を溶接部により連結し、この溶接部を湾曲外面を有する硬質樹脂で覆ったことを特徴とする。
【００１７】
請求項５の考案によれば、硬質樹脂でスポット溶接部を隠すことができると共に、硬質樹脂で覆うことによりスポット溶接部が水などに晒されることがなく、耐久性が向上する。
【００１８】
請求項６の考案は、前記機能部は、前記板材の先端を先鋭に形成すると共に、その板材の先端に、前記柄部に連続して前記シリコーンゴムコーティングを施してなることを特徴とする。
【００１９】
請求項６の構成によれば、先鋭な箸として使用でき、この箸は先端もシリコーンゴムでコーティングされているため、口当たりがソフトで優しい使用感が得られる。
【考案の効果】
【００２０】
本考案によれば、繰り返し使用しても先端の機能部にずれを生じ難く、加えて、ソフトに握ることができ、使用感に優れた食事用補助具を提供することができる。
【図面の簡単な説明】
【００２１】
【図１】本考案の実施例１を示す斜視図である。
【図２】同上、平面図である。
【図３】同上、側面図である。
【図４】同上、正面図である。
【図５】同上、背面図である。
【図６】同上、底面図である。
【図７】本考案の実施例２を示す平面図である。
【考案を実施するための形態】
【００２２】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なる新規な食事用補助具を採用することにより、従来にない食事用補助具が得られ、その食事用補助具について記述する。
【実施例１】
【００２３】
以下、本考案の実施例を添付図面を参照して説明する。図１〜図６は本考案の実施例１を示す。同図に示すように、この例の食事用補助具は箸１であり、この箸１は、左右一対の板材２，２を備え、この板材２はバネ性を有するステンレス製である。
【００２４】
図２の平面図に示すように、別体である左右一対の板材２，２の基端側の端部を、溶接部たるスポット溶接部３により連結し、板材２はその基端部から先端側に向かって間隔が広がるように形成されている。
【００２５】
一方、図３の側面図に示すように、板材２の基端側は上が凸で緩やかに湾曲し、この基端側の先端に上下方向に幅広な幅広部４が形成され、この幅広部４から先端に向かって上下方向が幅狭になるように形成されると共に、上が凸で緩やかに湾曲している。尚、幅広部４の位置は、長さ方向の中央位置より基端側である。また、前記幅広部４はその下部に湾曲部５を膨出形成することにより、他よりは幅広に形成されている。また、平面において、前記幅広部４の中央には屈曲部６が形成され、この屈曲部６の位置より先端側は、平面における左右の板材２，２の広がり角度が小さく形成されている。
【００２６】
前記板材２の先端から前記幅広部４の基端側までは、樹脂コーティングたるシリコーンゴムコーティング７が施されている。また、前記板材２には、前記幅広部４に長さ方向に長い長孔８を穿設すると共に、この長孔８の位置より先端側に複数（２個）の先端側長孔８Ａ，８Ａを穿設し、それら長孔８，８，８Ａ，８Ａの内縁にシリコーンゴムコーティングが施されて開口している。
【００２７】
そして、この例では、前記シリコーンゴムコーティング７が施された２の先端側が、機能部たる箸１の先端１１であり、この先端１１は先端に向かって先鋭に形成されている。また、前記先端１１の内面には滑り止めのための溝部１２が長さ方向に間隔をおいて並んで設けられている。そして、先端１１を除いたシリコーンゴムコーティング７を施した板材２の部分が柄部１３である。
【００２８】
前記柄部１３の基端側でシリコーンゴムコーティング７が施されてない部分に、山部１４と谷部１５が複数長さ方向に並んだ凹凸部１６を設けている。この凹凸部１６を設けることにより、柄部１３の基端側の強度が向上し、変形し難くなるため、箸１の先端１１，１１が交差してずれることを防止できる。
【００２９】
前記左右一対の板材２，２の基端部の端部は、前記スポット溶接部３を含んで、湾曲外面１７Ｗを有する硬質樹脂１７により覆われ、この硬質樹脂１７は略球形をなす。
【００３０】
次に、前記箸１の使用方法について説明する。使用者は左右の柄部１３，１３を通常の箸と同様に持ったり、左右の柄部１３，１３を握ったりして保持する。そして、左右の柄部１３，１３の間隔を狭めるように操作すると、先端１１，１１同士が重なり合わされ、食料Ｓを挟むことができる。この場合、板材２の基端側に設けた凹凸部１６により、繰り返し使用しても、先端１１，１１がずれることを防止できる。
【００３１】
そして、前記握るなどの力を弱めると、板材２，２の弾性復元力により先端１１，１１間が開くため、使用が容易となる。
【００３２】
このように本実施例では、請求項１に対応して、左右一対の柄部１３，１３の長さ方向の基端を、該柄部１３の先端に設けた機能部たる先端１１，１１を開いた状態で連結し、左右一対の柄部１３，１３の間隔を狭めることにより左右の先端１１，１１を重ね合わせる食事用補助具において、左右一対の柄部１３，１３はバネ性を有する板材２，２を備え、この板材２の基端側に、山部１４と谷部１５が複数長さ方向に並んだ凹凸部１６を設けたから、左右一対の柄部１３，１３を持って間隔を狭めることにより、先端の機能部が重ね合わさり、先端１１，１１を用いて食事を取ることができる。そして、繰り返し使用しても、板材２の基端側に、山部１４と谷部１５が複数長さ方向に並んだ凹凸部１６があるため、先端１１，１１が交差する方向にずれることを防止できる。また、別途にガイドなどを設ける必要が泣く、シンプルな仕上がりとなり、さらに、凹凸部によりデザイン性も向上する。
【００３３】
また、このように本実施例では、請求項２に対応して、柄部１３に樹脂コーティングたるシリコーンゴムコーティング７を施したから、柄部１３をソフトに握ることができる。
【００３４】
また、このように本実施例では、請求項３に対応して、板材２がバネ性を有するステンレス製であり、樹脂コーティングがシリコーンゴムコーティング７であり、柄部１３の板材２にシリコーンゴムコーティング７を施したから、柄部１３の板材２が露出せず、シリコーンゴムコーティング７によりソフトな握り感と滑り止め効果が得られる。
【００３５】
また、このように本実施例では、請求項４に対応して、左右一対の柄部１３，１３の長さ方向の中央側には、先端及び基端より幅広な幅広部４，４を設け、これら幅広部４，４に長さ方向に長い長孔８を穿設し、長孔８の内縁にシリコーンゴムコーティング７を施したから、幅広部４を有するため、握り感が向上する。一方、幅広になった幅広部４に対して長孔８を穿設することにより、軽量化が図られ、加えて、長孔８にバンド（図示せず）などを通し、そのバンドを手に巻き付けて使用することもできる。
【００３６】
また、このように本実施例では、請求項５に対応して、左右一対の板材２，２は別体であり、これら左右一対の板材２，２の基端を溶接部たるスポット溶接部３により連結し、このスポット溶接部３を湾曲外面１７Ｗを有する硬質樹脂１７で覆ったから、硬質樹脂１７でスポット溶接部３を隠すことができると共に、硬質樹脂１７で覆うことによりスポット溶接部３が水などに晒されることがなく、耐久性が向上する。
【００３７】
また、このように本実施例では、請求項６に対応して、前記機能部は、板材２の先端を先鋭に形成すると共に、その板材２の先端に、柄部１３に連続してシリコーンゴムコーティング７を施してなるから、先鋭な箸１として使用でき、この箸１は先端もシリコーンゴムでコーティングされているため、口当たりがソフトで優しい使用感が得られる。
【００３８】
また、実施例上の効果として、前記幅広部４はその下部に湾曲部５を膨出形成することにより、握りやすい箸１となる。前記板材２には、先端側に先端側長孔８Ａを穿設し、先端側長孔８Ａはシリコーンゴムコーティングにより塞いだので、先端側長孔８Ａの分だけ軽量化が可能で、かつ先端側長孔８Ａが露出しない。
【実施例２】
【００３９】
図７は本発明の実施例２を示し、上記実施例１と同一部分に同一符号を付し、その詳細な説明を省略して詳述する。この例では、機能部がスプーンの掬い部２２であり、スプーンを合わせた構造を有する食事用補助具１Ａを用いて食事を行うことができる。
【００４０】
このように本実施例では、柄部１３の先端に機能部たる掬い部２２を設けており、請求項１〜５に対応して、上記実施例１と同様な作用・効果を奏する。
【００４１】
尚、本考案は、本実施例に限定されるものではなく、本考案の要旨の範囲内で種々の変形実施が可能である。例えば、機能部は、実施例で示した箸先やスプーン先端に限定されず、フォークの先端などもよい。また、実施例では、先端の内面に滑り止めのための溝部を設けたが、溝部の代わりに小さい突部を設けてもよい。
【符号の説明】
【００４２】
１  箸（食事用補助具）
２  板材
３  スポット溶接部（溶接部）
４  幅広部
７  シリコーンゴムコーティング（樹脂コーティング）
８  長孔
１１  先端（機能部）
１３  柄部
１４  山部
１５  谷部
１６  凹凸部
１７  硬質樹脂
１７Ｗ  湾曲外面
２２  掬い部（機能部）
【図１】
0003189439.tif 000003
【図２】
0003189439.tif 000004
【図３】
0003189439.tif 000005
【図４】
0003189439.tif 000006
【図５】
0003189439.tif 000007
【図６】
0003189439.tif 000008
【図７】
0003189439.tif 000009